【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
移動体デバイスの高精度な位置を判定するために、少なくとも部分的に計算デバイスにおいて実行される方法であって、
複数の移動体デバイスと関連した移動体位置データーを、通信アプリケーションにおいて１つ以上の別個の信号タイプに基づいて受信するステップであって、第１移動体デバイスであって第２移動体デバイスにテザーされた第１移動体デバイスが、前記第１移動体デバイスと前記第２移動体デバイスとの両方に対する前記移動体位置データーを送信するように構成された、ステップと、
前記通信アプリケーションによって実行される動的移動体位置マッピング・モジュールにおいて、各位置についての別個の信号タイプを比較することにより、移動体位置データーのデーターベースを作るステップであって、前記動的移動体位置マッピング・モジュールが、移動体位置データーの起点ポイントの記録を前記データーベースに維持し、かつ前記複数の移動体デバイスからの入力を、前記複数の移動体デバイスによる前記入力の決定された精度に基づいて重み付けするように構成された、ステップと、
前記動的移動体位置マッピング・モジュールにおいて、セルラー・ネットワーク領域内の前記データーベースに基づいて移動体デバイス位置の動的なマップを作るステップと、
移動体デバイスへの最適化した送信のためおよび前記移動体デバイスにおける最適化した格納のため、主要成分分析を用いて前記マップを圧縮するステップと、
前記マップを前記移動体デバイスに送信するステップと、
前記マップの中にある前記データーを使用して、前記別個の信号タイプのうち少なくとも１つを、前記移動体デバイスによってその現在位置において受信された現位置信号と比較することによって、前記移動体デバイスの位置の高精度な推定を可能にするステップと、
を含む、方法。
【請求項２】
請求項１記載の方法であって、更に、
前記移動体デバイスから推定位置データーを受信するステップと、
前記推定位置に基づいて、前記移動体デバイスのユーザーに、位置に基づくサービスを提供するステップと、
を含む、方法。
【請求項３】
請求項１記載の方法において、前記別個の信号タイプが、汎地球測位システム（ＧＰＳ）データー、セルラー・タワー三角測量データー、およびワイヤレス・ローカル・エリア・ネットワーク（ＷＬＡＮ）位置データーを含む、方法。
【請求項４】
請求項１記載の方法であって、更に、
前記複数の移動体デバイスが、それらの移動体位置データーを自動的に送信することを可能にするステップを含む、方法。
【請求項５】
請求項４記載の方法であって、
前記マップを動的に更新するステップと、
前記移動体デバイスの位置が連続的に判定されるように、動的更新を前記移動体デバイスに送信するステップと、
を含む、方法。
【請求項６】
請求項１記載の方法であって、更に、
前記複数の移動体デバイスの各々に識別子を割り当てるステップと、
選択された移動体デバイスのグループから移動体位置データーを受け入れるステップと、
を含む、方法。
【請求項７】
請求項６記載の方法において、前記選択された移動体デバイスのグループが、信頼性のある情報を提供した信頼のある履歴を有する移動体デバイスを含む、方法。
【請求項８】
移動体デバイスの高精度な位置を判定するシステムであって、
通信アプリケーションを実行して、複数の位置に関する移動体位置データーを、汎地球測位システム（ＧＰＳ）と、セル・タワー三角測量信号および複数の移動体デバイスからのワイヤレス・ローカル・エリア・ネットワーク（ＷＬＡＮ）信号のうち少なくとも１つとに基づいて受信し、
動的移動体位置マッピング・モジュールにおいて、前記複数の位置に関するＧＰＳに基づくデーターと、前記セルラー・タワー三角測量信号およびＷＬＡＮ信号のうち対応するものとを含む、移動体位置データーの動的データーベースを作り、前記動的移動体位置マッピング・モジュールが、移動体位置データーの起点ポイントの記録を前記データーベースに維持し、かつ前記複数の移動体デバイスからの入力を、前記複数の移動体デバイスによる前記入力の決定された精度に基づいて重み付けするように構成され、
前記動的移動体位置マッピング・モジュールにおいて、前記動的データーベースに基づいて、別個の領域に対して複数の動的マップを作り、
前記移動体デバイスへの最適化した送信のためおよび前記移動体デバイスにおける最適化した格納のため、主要成分分析を用いて前記複数の動的マップを圧縮し、
移動体デバイスからのＧＰＳに基づく位置の受信に応答して、前記移動体デバイスの位置に対応するマップを送信し、
前記セル・タワー三角測量信号およびＷＬＡＮ信号のうち１つを、前記移動体デバイスにおける前記マップ上での対応するデーター・ポイントと比較することによって、前記移動体デバイスの位置の連続推定を可能にする、        
ように構成された第１サーバーを含む、システム。
【請求項９】
請求項８記載のシステムであって、更に、
前記移動体デバイスの前記推定位置を受信し、
前記推定位置に基づいて、位置に基づくサービスを提供する、
ように構成されている第２サーバーを含む、システム。
【請求項１０】
請求項８記載のシステムにおいて、前記第１サーバーが、更に、
ＧＰＳ位置と、前記複数の移動体デバイスから受信されたセル・タワー三角測量信号およびＷＬＡＮ信号のうち１つとの値の対に基づいて、追加のデーター・ポイントを外挿補間することによって、前記マップを作るように構成されている、システム。
【請求項１１】
請求項８記載のシステムにおいて、前記移動体デバイスが、セルラー・フォン、スマート・フォン、ハンドヘルド・コンピューター、および車載コンピューターのうちの１つである、システム。
【請求項１２】
移動体デバイスの高精度な位置を判定するためのコンピューター・デバイスであって、該コンピューター・デバイスが、
メモリーと、
該メモリーに結合されたプロセッサーであって、前記メモリーに格納された命令で通信アプリケーションを実行するプロセッサーと、
を含み、前記命令が、
複数の位置に関する移動体位置データーを、汎地球測位システム（ＧＰＳ）と、セル・タワー三角測量信号、ワイヤレス・ローカル・エリア・ネットワーク（ＷＬＡＮ）、ワイド・エリア・ネットワーク（ＷＡＮ）、パーソナル・エリア・ネットワーク（ＰＡＮ）のうち少なくとも１つとに基づいて収集することを複数の移動体に可能にする命令と、
前記複数の移動体デバイスから前記移動体位置データーを受信する命令であって、前記移動体位置データーが、前記第１移動体デバイスと前記第２移動体デバイスとの両方に対し、第１移動体デバイスであって前記複数の移動体デバイスの中の第２移動体デバイスにテザーされた第１移動体デバイスから受信される、命令と、
前記複数の位置に関する移動体位置データーの複数の動的マップを作る命令であって、前記マップが、動的移動体位置マッピング・モジュールにおいて、受信したＧＰＳに基づく位置のデーター・ポイントと、前記セル・タワー三角測量信号およびＷＬＡＮ信号のうち対応するものとを含む、命令と、
前記移動体デバイスによって取り込まれた画像およびオーディオをマッチングすること、前記移動体デバイスに一体化された加速度計を使用すること、前記移動体デバイスに一体化されたコンパスを使用すること、のうちの１つによって、前記複数の位置に関する前記移動体位置データーを強化する命令と、
前記ＧＰＳ位置と、前記複数の移動体デバイスから受信したセル・タワー三角測量信号およびＷＬＡＮ信号のうち１つとの値の対に基づいて、追加データー・ポイントを外挿補間する命令と、
主要成分分析を使用して前記マップを圧縮する命令と、
前記圧縮したマップを、移動体デバイスに送信する命令と、
前記セル・タワー三角測量信号およびＷＬＡＮ信号のうち１つを、前記移動体デバイスにおける前記マップ上の対応するデーター・ポイントと比較することによって、前記移動体デバイスの位置の連続推定を可能にする命令と、
を含む、コンピューター・デバイス。
【請求項１３】
請求項１２記載のコンピューター・デバイスにおいて、前記命令が、更に、
移動体位置データーのサンプル・ポイントの起点を追跡するために、前記複数の移動体デバイスの各々に識別子を割り当てる命令を含む、コンピューター・デバイス。
【請求項１４】
請求項１３記載のコンピューター・デバイスにおいて、前記識別子が、移動体デバイスのユーザーのプライバシーが保護されるように、匿名で割り当てられる、コンピューター・デバイス。